(57)【要約】【課題】商品陳列体としての機能を有効に発揮させ、消費者に効果的に広告情報を提供する。【解決手段】合成樹脂により中空状に形成され、内部に注入される流体によって膨張されることにより胴体形状となるマネキンボディであり、首部２の端面シート部材１０及び腕部４の端面シート部材１１が告知用表示面Ｆとされている。【選択図】図１
2008043408.tif 000002
【特許請求の範囲】
【請求項１】
合成樹脂により中空状に形成され、内部に注入される流体によって膨張されることにより胴体形状となるマネキンボディであり、
首部又は腕部の端面が告知用表示面とされていることを特徴とするマネキンボディ。
【請求項２】
前記首部又は腕部の端面が二層構造とされ、その表面層が透明樹脂から構成され、両層の間に告知用プレート部材が挿入されていることを特徴とする請求項１記載のマネキンボディ。
【請求項３】
前記首部又は腕部の端面に、その端面に沿って告知用プレート部材を挿入可能なポケットが形成され、該ポケットのカバーシート部材が透明樹脂から構成されていることを特徴とする請求項１記載のマネキンボディ。
【請求項４】
前記首部又は腕部の端面に、この端面を覆う透明樹脂からなるキャップ部材が着脱可能に取り付けられ、該キャップ部材と前記端面との間に告知用プレート部材が設けられていることを特徴とする請求項１記載のマネキンボディ。
【請求項５】
流体を注入し又は排出するための栓が設けられていることを特徴とする請求項１から４のいずれかに記載のマネキンボディ。
【請求項６】
胴体の底面に、その底面に沿う重量板を挿入可能なポケットが設けられていることを特徴とする請求項１から５のいずれかに記載のマネキンボディ。
【請求項７】
前記胴体の底面に、摩擦シート部材が貼り付けられていることを特徴とする請求項１から６のいずれかに記載のマネキンボディ。
【発明の詳細な説明】
【技術分野】
【０００１】
本発明は、衣服等の展示に使用されるマネキンボディに関する。
【背景技術】
【０００２】
マネキンボディのうち、頭部及び四肢を欠く胴体だけの形状をしたトルソー型のものは、シャツ等の衣服を着せたり、ネックレス等のアクセサリーを着けて、ショーウインドウ等の店頭に陳列されるものである。
このようなマネキンボディとして、木材、硬質の合成樹脂、石膏などを材料として形成したものが一般的であるが、軟質の合成樹脂により中空状に形成し、内部に空気を注入して膨張させることにより胴体形状となる空気注入式のものも、軽量化、運搬時の取扱い性向上のために使用されてきている（特許文献１、特許文献２参照）。
【特許文献１】特開２００２−３４６２９２号公報
【特許文献２】特開２００３−３１９８５７号公報
【発明の開示】
【発明が解決しようとする課題】
【０００３】
ところで、全身のマネキンボディの場合は、頭部や手足があって人体に近いため、どのような衣服を着せても意匠的には違和感がなく、バランスがとれているが、頭部や四肢を欠く胴体だけのトルソー型のマネキンボディの場合は、首の部分や腕の部分は、その端面がほぼ平坦に形成されていて、例えば半袖シャツを着せたとすると、その平坦な首の部分だけが露出することになる。ランニングシャツの場合は、首の部分と腕の部分とが衣服から露出することになる。このため、この露出部分も含めて商品陳列体としての機能を有効活用することが望まれる。
一方、商品の提供者は、このようなマネキンボディに着せた衣服に対して、その近くに、消費者に訴求する広告情報を表示することが行われており、各種のディスプレー用品をマネキンボディ等とは別に用意する必要があり、効率的な宣伝広告が望まれている。
【０００４】
本発明は、前記事情に鑑みて提案されたもので、商品陳列体としての機能を有効に発揮させ、消費者に効果的に広告情報を提供することができるマネキンボディを目的とする。
【課題を解決するための手段】
【０００５】
本発明は、合成樹脂により中空状に形成され、内部に注入される流体によって膨張されることにより胴体形状となるマネキンボディであり、首部又は腕部の端面が告知用表示面とされていることを特徴とする。
このような構成としたマネキンボディは、内部に空気等の流体を注入した状態で使用に供され、軽いために取扱いも容易である。
また、半袖シャツやランニングシャツを着せたときに、告知用表示面とされている首や腕の端面が露出することになり、衣服を購入しようとしている消費者が、その衣服から露出している告知用表示面をも見ることになり、消費者に効果的に広告情報を提供することができる。
この告知用表示面には、衣服を提供している事業者名、ブランド名、催事の情報、その他のメッセージが文字、図画、写真等によって表示される。この告知用表示面が形成される首部又は腕部の端面は、衣服等を着用させたときに、特に使用しない部分である割には比較的広い面積を確保することができ、多くの情報を表示することができる。
【０００６】
また、本発明のマネキンボディにおいて、前記首部又は腕部の端面が二層構造とされ、その表面層が透明樹脂から構成され、両層の間に告知用プレート部材が挿入されていることを特徴とする。
このような構成とすることにより、告知用プレート部材を変えることにより、各種の異なる広告宣伝の用に供することが可能になる。
【０００７】
また、前記首部又は腕部の端面に、その端面に沿って告知用プレート部材を挿入可能なポケットが形成され、該ポケットのカバーシート部材が透明樹脂から構成されている構成としてもよい。
このような構成とすれば、告知用プレート部材を簡単に着脱することができ、陳列される衣服のブランド等を変える毎等に告知用プレート部材も交換して、効果的に広告宣伝することができる。
【０００８】
さらに、前記首部又は腕部の端面に、この端面を覆う透明樹脂からなるキャップ部材が着脱可能に取り付けられ、該キャップ部材と前記端面との間に告知用プレート部材が設けられている構成としてもよい。
この構成の場合も、キャップ部材を外して告知用プレート部材を交換することが可能であり、効果的に広告宣伝することができる。
【０００９】
また、本発明のマネキンボディにおいて、流体を注入し又は排出するための栓が設けられていることを特徴とする。すなわち、流体を注入することにより、膨張させて使用に供することができ、その流体を抜くことにより、小さく畳んで輸送や保管を容易にすることができる。
【００１０】
また、本発明のマネキンボディにおいては、胴体の底面に、その底面に沿う重量板を挿入可能なポケットが設けられている構成とすることができる。
このマネキンボディは空気等の流体を注入して構成されていて軽いため、底面の重量板によって安定した起立姿勢を維持することが可能になる。
さらに、前記胴体の底面に、摩擦シート部材が貼り付けられている構成とすることもでき、床面等に摩擦シート部材で固定することができる。
【発明の効果】
【００１１】
本発明のマネキンボディは、半袖シャツやランニングシャツを着せたときに、告知用表示面とされている首や腕の端面が露出することになり、衣服を購入しようとしている消費者が、その衣服から露出している告知用表示面をも見ることになり、消費者に効果的に広告情報を提供することができる。この場合、告知用表示面が形成される首部又は腕部の端面は、衣服等を着用させたときに、特に使用しない部分である割には比較的広い面積を確保することができ、多くの情報を表示することができる。
【発明を実施するための最良の形態】
【００１２】
以下、本発明のマネキンボディの実施形態について、図面に基づいて説明する。
図１及び図２は第１実施形態のマネキンボディを示している。このマネキンボディは、首部２、肩部３、腕部４、胸部５、腹部６からなる上半身のみの胴体形状をしたトルソー型のマネキンボディであり、合成樹脂により中空の袋状に形成されている。このマネキンボディは、図２に示すように、その肩部３から腕部４、胸部５、腹部６にわたって全体を縦に半割りした形状の前部シート部材７、及び後部シート部材８、首部２の回りを形成するための帯状部材９、さらに首部２の端面を形成するための首部用端面シート部材１０、腕部４の端面を形成するための腕部用端面シート部材１１、底部を形成するための底部シート部材１２を接着剤によって繋ぎ合わせて全体が形成される。また、前部シート部材７と後部シート部材８との間には中間シート部材１３が架け渡された状態に設けられており、胸部５から腹部６にかけた内部に配置され、空気を注入したときに中間シート部材１３が前部シート部材７と後部シート部材８との間隔を規制して、体形が保持されるようになっている。
【００１３】
前記首部２の端面及び腕部４の端面を形成する端面シート部材１０・１１は、ほぼ平坦に形成されており、その表面が告知表示面Ｆとされている。この告知表示面Ｆは、広告宣伝を主目的とした文字（事業者名、ブランド名、催事の情報、その他のメッセージ）、図画、写真等の情報が印刷等により表示されたものである。
一方、首部２の端面シート部材１０には、このマネキンボディ全体を天井等から吊下げるための紐１５を結束する吊り環１６が一体に設けられている。また、前部シート部材７には、マネキンボディに空気を注入するための栓１７が設けられている。
【００１４】
このように構成されたマネキンボディは、栓１７から空気を注入して膨張させた状態とし、その上に例えばランニングシャツ等の衣服を着せて、店頭に陳列される。その際、首部２及び腕部４が衣服から露出することになるが、その首部２や腕部４の端面が告知表示面Ｆとされ、広告宣伝のための文字や図画、写真等が表示されているので、見る人に衣服とともに注意を向けることができ、効果的である。
【００１５】
この告知表示面の構成としては前記第１実施形態の他に以下のような形態も可能である。
図３及び図４は第２実施形態のマネキンボディの要部を示している。このマネキンボディにおいては、首部２及び腕部４の端面が二層構造となっており、端面シート部材１０・１１の上にさらにカバーシート部材（表面層）２１・２２が重ねられた構成である。この場合、端面シート部材１０・１１とカバーシート部材２１・２２との間に告知用プレート部材２３・２４が挿入され、これを覆うカバーシート部材２１・２２と端面シート部材１０・１１とがその周縁部で接着剤によって接着されている。告知用プレート部材２３・２４は、紙、合成樹脂、金属等から構成され、その表面に文字、図画、写真等の情報が印刷等によって表示されている。また、カバーシート部材２１・２２は告知用プレート部材２３・２４の告知表示面Ｆが見えるように透明の合成樹脂から構成されている。
【００１６】
このように構成されたマネキンボディは、告知用プレート部材２３・２４に告知目的に合わせた告知表示面Ｆを形成しておき、これを組み込んだ状態で製作される。この場合、告知用プレート部材２３・２４に告知表示面Ｆが形成されるので、該告知表示面Ｆをシルク印刷、グラビア印刷等、各種の印刷技術によって形成することができ、そのデザイン性を向上させることができる。
【００１７】
図５から図７は第３実施形態のマネキンボディを示している。このマネキンボディは、第２実施形態では端面シート部材１０・１１の全面をカバーシート部材２１・２２で覆い、その周縁部の全周を接着したのに対して、この実施形態では、カバーシート部材２１・２２が端面シート部材１０・１１のほぼ全面を覆っているが、その周縁部はほぼ半周分のみが接着されている。この場合、首部２の端面では胸部５側の半周分が接着され、腕部３の端面では下側の半周分が接着されている。そして、このカバーシート部材２１・２２において端面シート部材１０・１１に接着されていない上半分の部分は、端面シート部材１０・１１に重ね合わせられているだけであり、この部分を入口として両シート部材の間にポケット３１・３２が形成された構成である。もちろん、カバーシート部材２１・２２は透明の合成樹脂によって形成されている。
【００１８】
このように構成されたマネキンボディでは、その首部２、腕部４の端面のポケット３１・３２に告知用プレート部材２３・２４を挿入した状態として使用に供されるが、ポケット３１・３２の半分は開放状態であるので、その部分から告知用プレート部材２３・２４を着脱することが可能である。したがって、設置される店舗等のイメージ、企画したイベントの内容、着用される衣服、アクセサリー等に応じて告知用プレート部材２３・２４の告知内容やデザインを変えたものをポケット３１・３２に収納して使用することができ、目的の異なる陳列に繰り返し使用することができる。
【００１９】
図８から図１１は第４実施形態のマネキンホディを示している。このマネキンボディにおいては、首部２及び腕部４の上に、その端面シート部材１０・１１を覆うキャップ部材４１・４２が着脱可能に取り付けられた構成とされており、該キャップ部材４１・４２の内面と前記端面シート部材１０・１１との間に告知用プレート部材２３・２４が設けられている構成である。この場合、首部２及び腕部４は、図１０又は図１１に示すように、その端面の回りの周壁部に半径外方に突出する凸状リブ４３が周方向に沿って形成されている。一方、キャップ部材４１・４２は、硬質塩化ビニール樹脂、アクリル樹脂等の比較的硬質の合成樹脂からなり、天板部４４の回りに周壁部４５が形成されてなり、その周壁部４５の内周面に半径外方に拡径した凹溝４６が周方向に沿って形成されている。そして、このキャップ部材４１・４２を首部２や腕部４に嵌め込んだときに、首部２や腕部４の凸状リブ４３とキャップ部材４１・４２の凹溝４６とが相互に嵌合状態となってキャップ部材４１・４２の抜け止めがされる構成である。
【００２０】
このように構成したマネキンボディは、首部２や腕部４の端面に告知用プレート部材２３・２４を重ねた合わせ、その上からキャップ部材４１・４２を嵌合することにより、首部２や腕部４の端面シート部材１０・１１とキャップ部材４１・４２との間に告知用プレート部材２３・２４が介在した状態となるものである。そして、この実施形態の場合も、第３実施形態の場合と同様に、キャップ部材４１・４２を外して告知用プレート部材２３・２４を交換しながら使用することができる。
【００２１】
図１２及び図１３は第5実施形態のマネキンボディを示している。このマネキンボディは、その底面にポケット５１が設けられ、このポケット５１に重量板５２が挿入状態に設けられたものである。つまり、胴体の底面を形成している底面シート部材１２に、該底面シート部材１２とほぼ同じ大きさのカバーシート部材５３が重ね合わせられており、これらシート部材１２・５３の側方を除く周縁部が接着剤によって接着されていることにより、前記ポケット５１が形成された構成である。前記重量板５２は、金属、硬質の合成樹脂等からなる板状のものであり、底面とほぼ同じ大きさに形成されている。
【００２２】
このように構成したマネキンボディは、底面のポケット５１に重量板５２を挿入することにより、低重心となって、安定した起立姿勢を維持することができることになる。一方、この重量板５２をポケット５１から抜き取っておくことにより、軽量のマネキンボディとなり、吊下げて使用する場合に有利である。すなわち、このマネキンボディは、テーブル等の上に置いて使用すること場合も、天井等から吊下げて使用する場合も、いずれの形態であっても有効に使用することができるものである。
【００２３】
図１４及び図１５は第6実施形態のマネキンボディを示している。このマネキンボディは、底面シート部材１２の外面に摩擦シート６１が接着されたものである。この摩擦シート６１は、ゴム、ウレタン樹脂等の摩擦係数の高い材料あるいは弱粘着性を有する材料からなるものであり、両面テープにより底面シート部材１２に接着される。
このマネキンボディは、摩擦シート６１が接着されているため、底面が滑りにくく、テーブル等の上に置いて使用する場合に、ディスプレー位置がずれない上に、棚上に置く場合には落下を防止することができる。
【００２４】
図１６は第7実施形態のマネキンボディを示している。このマネキンボディは、首部２の長さが可変とされたものである。すなわち、このマネキンボディの首部２は、首部構成体６５が胴体部６６にフレキシブルスカート部材６７によって連結され、このフレキシブルスカート部材６７が変形することにより、首部構成体６５の胴体部６６に対する位置を変更して、首部２の長さを変えられるようになっている。首部構成体６５は、端面シート部材１０の周縁部に長めの帯状部材６８が接着された構成とされている。フレキシブルスカート部材６７は、筒状に形成されており、その上端が首部構成体６５の帯状部材６８の長さのほぼ中間位置に接合され、下端が胴体部６６に接合されている。そして、図１６の（ａ）（ｂ）（ｃ）で示すように、首部構成体６５を胴体部６６に押し込むと、フレキシブルスカート部材６７が反転しながら折れ曲がって首部構成体６５の位置を保持する構成である。
このマネキンボディの場合も、首部２の端面が告知表示面Ｆとされ、その首部２が伸縮する構成であるから、襟なしシャツを着せた場合だけでなく、襟を有するシャツを着せた場合も、襟に隠れることなく告知表示面を露出させることができる。
【００２５】
以上、本発明の実施形態について図面を参照して詳述したが、具体的な構成はこの実施形態に限られるものではなく、本発明の要旨を逸脱しない範囲の設計変更等も含まれる。例えば、各実施形態の場合は腹部までの構成としたが、腰部までのもの、あるいは脚部も有するものに適用することが可能である。また、首部及び腕部のいずれにも告知用表示面を形成したが、いずれか一方のみに形成するものでもよい。
【図面の簡単な説明】
【００２６】
【図１】本発明の第１実施形態のマネキンボディを若干上方から視た正面図である。
【図２】図１のマネキンボディの分解図である。
【図３】本発明の第２実施形態のマネキンボディの首部を示す側面図である。
【図４】本発明の第２実施形態のマネキンボディの腕部を示す正面図である。
【図５】本発明の第３実施形態のマネキンボディを若干上方から視た正面図である。
【図６】図５のマネキンボディの首部を示す側面図である。
【図７】図５のマネキンボディの腕部を示す正面図である。
【図８】本発明の第４実施形態のマネキンボディを一部を分解しつつ若干上方から視た正面図である。
【図９】図８のマネキンボディを組み立てた状態を示す正面図である。
【図１０】図８のマネキンボディの首部を示す側面図であり、（ａ）が組み立て状態、（ｂ）が分解状態を示している。
【図１１】図８のマネキンボディの腕部を示す側面図であり、（ａ）が組み立て状態、（ｂ）が分解状態を示している。
【図１２】本発明の第５実施形態のマネキンボディを一部を分解しつつ若干上方から視た正面図である。
【図１３】図１２のマネキンボディの底部の断面図である。
【図１４】本発明の第６実施形態のマネキンボディを一部を分解しつつ若干上方から視た正面図である。
【図１５】図１４のマネキンボディを組み立てた状態を示す正面図である。
【図１６】本発明の第７実施形態のマネキンボディの首部を示す断面図であり、（ａ）が最も伸びた状態、（ｂ）が最も引き込んだ状態、（ｃ）がそれらの中間の状態を示している。
【符号の説明】
【００２７】
２…首部、３…肩部、４…腕部、５…胸部、６…腹部、７…前部シート部材、８…後部シート部材、９…帯状部材、１０…首部用端面シート部材、１１…腕部用端面シート部材、１２…底部シート部材、１３…中間シート部材、１５…紐、１６…吊り環、１７…栓、２１・２２…カバーシート部材、２３・２４…告知用プレート部材、３１・３２…ポケット、４１・４２…キャップ部材、４３…凸状リブ、４４…天板部、４５…周壁部、４６…凹溝、５１…ポケット、５２…重量板、５３…カバーシート部材、６１…摩擦シート部材、６５…首部構成体、６６…胴体部、６７…フレキシブルスカート部材、６８…帯状部材、Ｆ…告知用表示面
【図１】
2008043408.tif 000003
【図２】
2008043408.tif 000004
【図３】
2008043408.tif 000005
【図４】
2008043408.tif 000006
【図５】
2008043408.tif 000007
【図６】
2008043408.tif 000008
【図７】
2008043408.tif 000009
【図８】
2008043408.tif 000010
【図９】
2008043408.tif 000011
【図１０】
2008043408.tif 000012
【図１１】
2008043408.tif 000013
【図１２】
2008043408.tif 000014
【図１３】
2008043408.tif 000015
【図１４】
2008043408.tif 000016
【図１５】
2008043408.tif 000017
【図１６】
2008043408.tif 000018